(57)【特許請求の範囲】
【請求項１】
室内の床面に取り付けられ、室外から前記室内へ給気流を供給する給気システム経路の一部を構成するフィルターユニットであって、
配管部ａと接続され前記配管部ａを介して前記フィルターユニット内に給気流を流入させる室外側アダプターと、
配管部ｂと接続され前記フィルターユニット内の給気流を、前記配管部ｂを介して流出させる室内側アダプターと、
前記給気流の通風路を前記室外側アダプターと前記室内側アダプターとの間に形成するフレームと、
前記フレーム内に設けられ前記給気流を清浄するフィルターと、
前記室外側アダプターと前記室内側アダプターとを連結し、前記室外側アダプターと前記室内側アダプターとの間の距離を一定に保つ保持部材と、
前記フレームと前記室外側アダプターおよび前記室内側アダプターとを連結するフレーム固定部と、を備え、
前記フレーム固定部は、
前記室外側アダプターおよび前記室内側アダプターを貫通して前記室外側アダプターおよび前記室内側アダプターを枠に固定するスクリュー部と、
前記スクリュー部の端部に接合し前記スクリュー部よりも径が大きく、前記フレームの断面厚み同等以上の長さを有して前記フレームを貫通するカラー部と、
前記スクリュー部とは逆側の端部で前記カラー部に接合し前記カラー部よりも径の大きいネジ頭部と、を備え、
前記スクリュー部の前記枠への固定時に前記カラー部の前記スクリュー部との接合面は前記室外側アダプターおよび前記室内側アダプターの前記フレーム面側に接することで、前記室外側アダプターおよび前記室内側アダプターの前記フレーム面側から前記ネジ頭部までの距離を一定に保つことを特徴とするフィルターユニット。
【請求項２】
前記保持部材を前記室外側アダプターと前記室内側アダプターとから、着脱可能にしたことを特徴とする請求項１に記載のフィルターユニット。
【請求項３】
前記保持部材と前記フレームの底面とを接触させたことを特徴とする請求項１または２に記載のフィルターユニット。
【請求項４】
前記保持部材と前記フレームの底面とが接触する部分の形状を同一の形状または面接触する形状にしたことを特徴とする請求項３に記載のフィルターユニット。
【発明の詳細な説明】
【技術分野】
【０００１】
本発明は、室外から室内へ給気流を供給する給気システムに使用されるフィルターユニットに関するものである。
【背景技術】
【０００２】
従来、この種のフィルターユニットは室外から室内へ給気流を供給する給気システム経路の一部を構成するものが知られている（例えば、特許文献１参照）。
【０００３】
以下、そのフィルターユニットについて図９を参照しながら説明する。
【０００４】
図９に示すように、室内１０１の壁面１０２に取り付けられたフィルターユニット１０３は、室外１０４から室内１０１へ給気流１０５を供給する給気システム１０６の経路の一部を構成し、フィルターユニット１０３内部には換気装置１０７により供給する給気流を清浄するフィルター１０８を有していた。
【先行技術文献】
【特許文献】
【０００５】
【特許文献１】特開２００７−１８７４０８号公報
【発明の概要】
【発明が解決しようとする課題】
【０００６】
このような従来のフィルターユニットにおいては、壁面に取り付ける際に、取付開口部の形状が設計意図通りの形状でない場合においては、フィルターユニットを設計意図通りに施工することができないという課題を有していた。
【０００７】
そこで本発明は、上記従来の課題を解決するものであり、施工性を向上させたフィルターユニットを提供することを目的とする。
【課題を解決するための手段】
【０００８】
そして、この目的を達成するために、本発明は、室内の床面に取り付けられ、室外から前記室内へ給気流を供給する給気システム経路の一部を構成するフィルターユニットであって、配管部ａと接続され前記配管部ａを介して前記フィルターユニット内に給気流を流入させる室外側アダプターと、配管部ｂと接続され前記フィルターユニット内の給気流を、前記配管部ｂを介して流出させる室内側アダプターと、前記給気流の通風路を前記室外側アダプターと前記室内側アダプターとの間に形成するフレームと、前記フレーム内に設けられ前記給気流を清浄するフィルターと、前記室外側アダプターと前記室内側アダプターとを連結し、前記室外側アダプターと前記室内側アダプターとの間の距離を一定に保つ保持部材と、前記フレームと前記室外側アダプターおよび前記室内側アダプターとを連結するフレーム固定部と、を備え、前記フレーム固定部は、前記室外側アダプターおよび前記室内側アダプターを貫通して前記室外側アダプターおよび前記室内側アダプターを枠に固定するスクリュー部と、前記スクリュー部の端部に接合し前記スクリュー部よりも径が大きく、前記フレームの断面厚み同等以上の長さを有して前記フレームを貫通するカラー部と、前記スクリュー部とは逆側の端部で前記カラー部に接合し前記カラー部よりも径の大きいネジ頭部と、を備え、前記スクリュー部の前記枠への固定時に前記カラー部の前記スクリュー部との接合面は前記室外側アダプターおよび前記室内側アダプターの前記フレーム面側に接することで、前記室外側アダプターおよび前記室内側アダプターの前記フレーム面側から前記ネジ頭部までの距離を一定に保つものであり、これにより所期の目的を達成するものである。
【発明の効果】
【０００９】
本発明によれば、室内の床面に取り付けられ、室外から前記室内へ給気流を供給する給気システム経路の一部を構成するフィルターユニットであって、配管部ａと接続され前記配管部ａを介して前記フィルターユニット内に給気流を流入させる室外側アダプターと、配管部ｂと接続され前記フィルターユニット内の給気流を、前記配管部ｂを介して流出させる室内側アダプターと、前記給気流の通風路を前記室外側アダプターと前記室内側アダプターとの間に形成するフレームと、前記フレーム内に設けられ前記給気流を清浄するフィルターと、前記室外側アダプターと前記室内側アダプターとを連結し、前記室外側アダプターと前記室内側アダプターとの間の距離を一定に保つ保持部材と、前記フレームと前記室外側アダプターおよび前記室内側アダプターとを連結するフレーム固定部と、を備え、前記フレーム固定部は、前記室外側アダプターおよび前記室内側アダプターを貫通して前記室外側アダプターおよび前記室内側アダプターを枠に固定するスクリュー部と、前記スクリュー部の端部に接合し前記スクリュー部よりも径が大きく、前記フレームの断面厚み同等以上の長さを有して前記フレームを貫通するカラー部と、前記スクリュー部とは逆側の端部で前記カラー部に接合し前記カラー部よりも径の大きいネジ頭部と、を備え、前記スクリュー部の前記枠への固定時に前記カラー部の前記スクリュー部との接合面は前記室外側アダプターおよび前記室内側アダプターの前記フレーム面側に接することで、前記室外側アダプターおよび前記室内側アダプターの前記フレーム面側から前記ネジ頭部までの距離を一定に保つことにより、室外側アダプターと室内側アダプターとを取付開口部に取付ける際に、取付開口部の形状が設計意図通りの形状でない場合においても、保持部材により室外側アダプターと室内側アダプターとの間の距離を一定に保つことができるため、設計意図通りの位置関係で施工することができる。結果として、フィルターユニットを容易に設計意図通りの位置関係で施工することができるため、施工性が向上するという効果を得ることができる。
【図面の簡単な説明】
【００１０】
【図１】本発明の実施の形態１のフィルターユニットの設置例の側概略図
【図２】同フィルターユニットの斜視図
【図３】同保持部材の斜視図
【図４】（ａ）同フィルターユニットの分解斜視図、（ｂ）（ａ）の破線部を示す詳細分解斜視図
【図５】同フィルターユニットの分解斜視図
【図６】（ａ）同床面と同取付開口部の部分斜視図、（ｂ）（ａ）に同フィルターユニットを設置した例を示す部分斜視図
【図７】（ａ）同床面と同取付開口部の部分側面図、（ｂ）（ａ）に同室外側アダプターと同室内側アダプターとを取付けた例を示す部分側面図、（ｃ）（ｂ）に同保持部材を取付けた例を示す部分側面図、（ｄ）（ｃ）に同フレームを取付けた例を示す部分側面図
【図８】図７（ｃ）にフレーム固定部を取付けた例を示す部分側面断面図
【図９】従来のフィルターユニットの設置例の側概略図
【発明を実施するための形態】
【００１１】
本発明に係るフィルターユニットは、室内の床面に取り付けられ、室外から前記室内へ給気流を供給する給気システム経路の一部を構成するフィルターユニットであって、給気流が流入する室外側アダプターと、給気流が流出する室内側アダプターと、前記室外側アダプターと前記室内側アダプターとの間に前記給気流の通風路を形成するフレームと、前記フレームに前記給気流を清浄するフィルターとを備え、前記室外側アダプターと前記室内側アダプターとを連結し、前記室外側アダプターと前記室内側アダプターとの間の距離を一定に保つ保持部材を設けた構成にしたことにより、室外側アダプターと室内側アダプターとを取付開口部に取付ける際に、取付開口部の形状が設計意図通りの形状でない場合においても、保持部材により室外側アダプターと室内側アダプターとの間の距離を一定に保つことができるため、設計意図通りの位置関係で施工することができる。結果として、フィルターユニットを容易に設計意図通りの位置関係で施工することができるため、施工性が向上するという効果を奏する。
【００１２】
また、保持部材を室外側アダプターと室内側アダプターとから、着脱可能にした構成にしてもよい。これにより、保持部材を室外側アダプターと室内側アダプターとから着脱することができるため、点検のため床下空間に入るときにおいても、室外側アダプターと室内側アダプターを外す必要がなく、フレームと保持部材を外して容易に床下空間に入ることができるため、施工性が向上するという効果を奏する。
【００１３】
また、保持部材とフレームの底面とを接触させた構成にしてもよい。これにより、保持部材とフレームの底面とを接触させることができ、保持部材が、フレームを室外側アダプターと室内側アダプターとに取付ける際のフレームの位置決めとなる。その結果、容易にフレームを設計意図通りの位置関係で施工することができるため、施工性が向上するという効果を奏する。
【００１４】
また、保持部材とフレームとが接触する部分の形状を同一の形状または面接触する形状にした構成にしてもよい。これにより、フレームを保持部材により支えることができるため、設計意図通りの強度を担保した施工が可能となるため、施工性が向上するという効果を奏する。
【００１５】
また、フレームと室外側アダプターおよび室内側アダプターとを連結し、かつ、フレームと室外側アダプターおよび室内側アダプターとの間の距離を一定に保つフレーム固定部を設けた構成にしてもよい。これにより、フレーム固定部によりフレームと室外側アダプターおよび室内側アダプターとの上側間の距離を一定に保つことができるため、設計意図通りの位置関係で施工することができる。その結果、容易にフレームを設計意図通りの位置関係で施工することができるため、施工性が向上するという効果を奏する。
【００１６】
以下、本発明の実施の形態について図面を参照しながら説明する。
【００１７】
（実施の形態１）
図１に示すように、給気システム１は、床面２の取付開口部３に設置し、配管部６ａに接続したフィルターユニット４と、床下５内に設置し、配管部６ｂによりフィルターユニット４に接続した換気装置７と、天面８または壁面９に設置し、配管部６ｃにより換気装置７に接続した吹出口１０と、壁面９に設置し、配線１１により換気装置７に接続して換気装置７の動作をコントロールするリモコン１２とを備えている。
【００１８】
図２および図３および図４に示すように、フィルターユニット４は、給気流が流入する室外側アダプター１３と、給気流が流出する室内側アダプター１４と、室外側アダプター１３と室内側アダプター１４との間に給気流の通風路を形成するフレーム１５と、フレーム１５に給気流を清浄するフィルター（図示せず）と、室外側アダプター１３と室内側アダプター１４とを連結し、室外側アダプター１３と室内側アダプター１４との間の距離を一定に保つ保持部材１６とを備えている。
【００１９】
ここで、保持部材１６は室外側アダプター１３と室内側アダプター１４とから着脱可能となっており、室外側アダプター１３と室内側アダプター１４とに取付けた後でも、容易に取り外すことができる構成としている。例えば、本実施の形態では、図４に示すように、室外側アダプター１３と室内側アダプター１４とには開口部１９を設け、保持部材１６には折り曲げ部２０を設けている。このような形状にすることで、開口部１９に折り曲げ部２０を入れ込むだけで、室外側アダプター１３と室内側アダプター１４との間の距離を一定に保つことができる。さらに、保持部材１６を持ち上げるのみで、室外側アダプター１３と室内側アダプター１４とから取り外すことができる。なお、図４には、開口部１９は室内側アダプター１４にしか設けていないように見えるが、室外側アダプター１３にも同様に設けている。
【００２０】
また、図２に示すように、保持部材１６とフレーム１５の底面とは、組立完了時に互いに接触する構成としてもよい。
【００２１】
さらに、図５に示すように、保持部材１６とフレーム１５の底面とが接触する部分の形状は同一としてもよい。あるいは保持部材１６とフレーム１５の底面とが接触する部分の形状を面接触する形状にしてもよい。
【００２２】
図１に示すように、この給気システム１は、リモコン１２により換気装置７を動作させると、室外１７の空間、例えば床下５から給気流が配管部６ａを介してフィルターユニット４へと流入する。そして、給気流はフィルターユニット４内部のフィルター（図示せず）により清浄され、配管部６ｂを介して換気装置７へと流入する。最終的に、給気流は換気装置７から配管部６ｃと吹出口１０とを介して、室内１８へと供給される。
【００２３】
上記構成において、フィルターユニット４を施工する際には、図６（ａ）から図６（ｂ）に示すように工事業者が床面２に作製した取付開口部３に取付けることとなる。
【００２４】
以下施工方法を図７（ａ）〜（ｄ）を用いて詳述する。まず、室外側アダプター１３と室内側アダプター１４とを取付開口部３の枠に固定具、例えばねじを用いて取付ける（図７（ｂ））。そして、保持部材１６を室外側アダプター１３と室内側アダプター１４との間に取付け、室外側アダプター１３と室内側アダプター１４との間の距離を一定にして、設計意図通りの位置関係とする（図７（ｃ））。最後に、フレーム１５と取付開口部３の枠とをフレーム固定部２２（図８）にて固定し、フレーム１５とフィルター（図示せず）とを室外側アダプター１３と室内側アダプター１４とに取付けることで、施工が完了する（図７（ｄ））。
【００２５】
ここでフレーム固定部２２に関して図８を用いて詳細に説明する。フレーム固定部２２は、ネジ頭部２２ａとカラー部２２ｂとスクリュー部２２ｃで構成される。ネジ頭部２２ａはドライバー等工具もしくは手でフレーム固定部２２を回転できる形状かつ部分である。カラー部２２ｂはフレーム１５の断面厚み同等以上の長さでフレーム１５を貫通する部分である。スクリュー部２２ｃは室外側アダプター１３および室内側アダプター１４を貫通し取付開口部３の枠２３の側面に入り込む部分である。
【００２６】
この時、ネジ頭部２２ａのカラー部２２ｂとの接合面がフレーム１５の内側面に接し、カラー部２２ｂのスクリュー部２２ｃとの接合面が室外側アダプター１３および室内側アダプター１４のフレーム１５面側に接することで、フレーム１５と室外側アダプター１３および室内側アダプター１４の距離を一定に保つことができる。
【００２７】
そして、従来、工事業者が作製した取付開口部３の形状が設計意図通りの形状でない場合においては、室外側アダプター１３と室内側アダプター１４とを設計意図通りの位置関係で取付開口部３に取付けることができない。さらに、フレーム１５とフィルター（図示せず）においても室外側アダプター１３と室内側アダプター１４とに設計意図通りの位置関係で取付けることできない。つまり、フィルターユニット４を設計意図通りの位置関係で施工することができず、施工性の低下、気密性能の低下、通気抵抗損失の増加、強度の低下等の性能低下の問題が生ずることとなる。
【００２８】
そのような場合において、従来であれば、性能が低下した状態のままでフィルターユニット４を使用するか、フィルターユニット４を設計意図通りの位置関係で施工するために取付開口部３に追加部材を加える等の余分な施工をする必要があった。
【００２９】
本実施の形態の構成においては、そのような場合においても、保持部材１６によりフレーム１５と室外側アダプター１３および室内側アダプター１４との下側間の距離を一定に保つことができる。さらに、フレーム１５と取付開口部３の枠とをフレーム固定部２２にて固定することで、フレーム１５と室外側アダプター１３および室内側アダプター１４との上側間の距離を一定に保つことができる。よって、室外側アダプター１３および室内側アダプター１４に取付けるフレーム１５とフィルター（図示せず）とにおいても設計意図通りの位置関係で施工することができる。結果として、フィルターユニット４を容易に設計意図通りの位置関係で施工することができ、施工性が向上すると共に、所望の性能も担保することが可能となる。
【００３０】
また、床下５内の設備、例えば換気装置７の点検のため床下５に入る際には、従来であれば、フィルターユニット４を取付開口部３から取り外し、さらに配管部６ａ、６ｂをフィルターユニット４から取り外した後に取付開口部３から床下５へ入っていた。そのため、点検時間だけでなく、点検後の再施工時間が増加していた。
【００３１】
本実施の形態の構成においては、保持部材１６を室外側アダプター１３と室内側アダプター１４とから着脱可能にしたため、図７に示すように、点検の際でも、フレーム１５とフィルター（図示せず）と保持部材１６を外すのみで、容易に床下５に入ることができる。そのため、室外側アダプター１３と室内側アダプター１４とを取付開口部３から取り外す必要がなく、さらには、配管部６ａ、６ｂを室外側アダプター１３と室内側アダプター１４とから取り外す必要もない。結果として、点検後の再施工時間を短縮することができ、施工性が向上すると共に、点検時間も短縮することができる。
【００３２】
また、図７に示すように、保持部材１６とフレーム１５の底面とは、組立完了時に互いに接触する構成のため、フレーム１５とフィルター（図示せず）とが設計意図通りの位置関係で施工されたとき、互いに接触することとなる。しかし、フレーム１５とフィルター（図示せず）とが設計意図通りの位置関係で施工されないときには、互いに接触しないこととなる。つまり、保持部材１６とフレーム１５の底面とが組立完了時に互いに接触するかどうかで、保持部材１６がフレーム１５とフィルター（図示せず）との位置決めの役割を果たすことになる。このように、施工する際に、フレーム１５が保持部材１６と互いに接触するように取り付けることで、容易に設計意図通りの位置関係で施工することができ、施工性が向上する。
【００３３】
また、従来であれば、フレーム１５は、フレーム１５の底面を室外側アダプター１３と室内側アダプター１４とで支えるか、フレーム１５のフランジ部２１を室外側アダプター１３と室内側アダプター１４とで支えていた。フレーム１５の底面を室外側アダプター１３と室内側アダプター１４とで支える場合には、フレーム１５の底面と、室外側アダプター１３と室内側アダプター１４との接触面積が少なくなり、フレーム１５の保持強度が低下していた。フレーム１５のフランジ部２１を室外側アダプター１３と室内側アダプター１４とで支え場合には、フレーム１５の加重や、使用時やお手入れ等の使用者の力がフランジ部２１にかかることになり、フレーム１５が低強度材料、例えば発泡スチロール等だと、フレーム１５が変形、破損していた。
【００３４】
本実施の形態の構成においては、図５に示すように、保持部材１６とフレーム１５とが接触する部分の形状が同一あるいは面接触であるため、フレーム１５を室外側アダプター１３と室内側アダプター１４とだけでなく、保持部材１６とでも支えることができる。結果として、フレーム１５の保持強度を向上させ、さらにフレーム１５のフランジ部２１への加重を低減することができるため、設計意図通りの強度を担保した施工が可能となり、施工性が向上する。
【産業上の利用可能性】
【００３５】
本発明に係るフィルターユニットは、施工性の向上を可能とするものであるので、室外から室内へ給気流を供給する給気システムに使用されるフィルターユニット等として有用である。
【符号の説明】
【００３６】
１  給気システム
２  床面
３  取付開口部
４  フィルターユニット
５  床下
６ａ、６ｂ、６ｃ  配管部
７  換気装置
８  天面
９  壁面
１０  吹出口
１１  配線
１２  リモコン
１３  室外側アダプター
１４  室内側アダプター
１５  フレーム
１６  保持部材
１７  室外
１８  室内
１９  開口部
２０  折り曲げ部
２１  フランジ部
２２  フレーム固定部
２２ａ  ネジ頭部
２２ｂ  カラー部
２２ｃ  スクリュー部
２３  枠
【図１】
0006617275.tif 000002
【図２】
0006617275.tif 000003
【図３】
0006617275.tif 000004
【図４】
0006617275.tif 000005
【図５】
0006617275.tif 000006
【図６】
0006617275.tif 000007
【図７】
0006617275.tif 000008
【図８】
0006617275.tif 000009
【図９】
0006617275.tif 000010